(57)【要約】【課題】ワークテーブル等の天板の長さを長いものとした場合に、これまでのテーブルと外観上はほとんど変わることがないが、長手方向、及びそれと直交する方向のどちらの方向のたわみ等に対しても充分な強度を有するようにした天板の補強構造を提供する。【解決手段】天板１の下面に溝２を設け、溝２と同方向を向く補強材３における水平板状の基片８の中間部上面に起立片４を設け、起立片４を溝２に嵌合して、起立片４の下端より両側方に延出する基片８の両側部を、天板１の下面における溝２の両側方で固着する。【選択図】        図４
2004222910.tif 000002
【特許請求の範囲】
【請求項１】
天板の下面に溝を設け、該溝と同方向を向く補強材における水平板状の基片の中間部上面に起立片を設け、該起立片を前記溝に嵌合して、起立片の下端より両側方に延出する前記基片の両側部を、天板の下面における前記溝の両側方で固着したことを特徴とする天板の補強構造。
【請求項２】
補強材を、ほぼＬ字状断面の２個のアングル材を、互いに背中合わせとして接合して、接合部分を起立片とし、かつ接合部分の下端から両側方に延出する両片を基片とした請求項１記載の天板の補強構造。
【請求項３】
補強材を、帯状の板金材を中央から折り返しこの折り返し部分を溶接して起立片を形成し、その両下端から直角に外方に折り曲げて基片を形成した請求項１記載の天板の補強構造。
【請求項４】
補強材を、帯状の板金材を中央から折り返して起立片を形成し、その両下端から直角に外方に折り曲げて基片部分を形成した倒立Ｔ字状部材と、前記基片部分の下面を覆うこれとほぼ同寸の平板部材とにより構成した請求項１記載の天板の補強構造。
【請求項５】
天板の下面における溝の両側方に、補強材の基片が嵌合するようにした浅い拡大溝を設けた請求項１〜４のいずれかに記載の天板の補強構造。
【発明の詳細な説明】
【０００１】
【発明の属する技術分野】
本発明は、ワークテーブル等に使用される天板の補強構造に関する。
【０００２】
【従来の技術】
ワークテーブル等の天板の長さを長いものとする場合、強度面においてはどうしても不安が生じてしまう。すなわち、木製または合板製さらにはパーチクルボード製の天板においては、載架荷重によるたわみ変形や経年変形が生じることがある。この問題を解決するには、天板の厚さを厚くしたり、板金製の天板にしたりする方法がある。しかし、これらの方法をとると、コストがかかりすぎ、かつ木の質感がなくなるという問題があった。
【０００３】
そのため、図６に示すように、天板（１）の下面に２条の溝（２）を設け、ここに断面コ字状の補強材（３）の両側の起立片または突片（４）を挿入した状態で、補強材（３）を天板（１）に取り付けるようにしたものがある（例えば、特許文献１参照）。
【０００４】
【特許文献１】
特開２００１−０９５６２７号公報（第２〜４頁、図１〜１０）
【０００５】
【発明が解決しようとする課題】
このような構造は、長手方向のたわみに関しては補強が効き、長さの長い天板を安価に製作できるが、それと直交する短手方向のたわみに関しては、溝の形成により、強度は弱くなり、図６に矢印により示すように変形し易い。
【０００６】
本発明は、上述の問題点に鑑み、ワークテーブル等の天板の長さを長いものとした場合に、これまでのテーブルと外観上はほとんど変わることがないが、長手方向、及びそれと直交する方向のどちらの力に対しても充分な強度を有するようにした天板補強構造を提供することを目的としている。
【０００７】
【課題を解決するための手段】
本発明によると、上記課題は、次のようにして解決される。
（１）天板の下面に溝を設け、該溝と同方向を向く補強材における水平板状の基片の中間部上面に起立片を設け、該起立片を前記溝に嵌合して、起立片の下端より両側方に延出する前記基片の両側部を、天板の下面における前記溝の両側方で固着する。
【０００８】
（２）上記（１）項において、補強材を、ほぼＬ字状断面の２個のアングル材を、互いに背中合わせとして接合して、接合部分を起立片とし、かつ接合部分の下端から両側方に延出する両片を基片とする。
【０００９】
（３）上記（１）項において、補強材を、帯状の板金材を中央から折り返しこの折り返し部分を溶接して起立片を形成し、その両下端から直角に外方に折り曲げて基片を形成する。
【００１０】
（４）上記（１）項において、補強材を、帯状の板金材を中央から折り返して起立片を形成し、その両下端から直角に外方に折り曲げて基片部分を形成した倒立Ｔ字状部材と、前記基片部分の下面を覆うこれとほぼ同寸の平板部材とにより構成する。
【００１１】
（５）上記（１）〜（４）項のいずれかにおいて、天板の下面における溝の両側方に、補強材の基片が嵌合するようにした浅い拡大溝を設ける。
【００１２】
【発明の実施の形態】
図１〜図４は、本発明の第１の実施形態を備えるワークテーブルを示す。
【００１３】
図１に示すワークテーブル（Ａ）は、長手方向に長い天板（１）を有するもので、天板（１）は、木製、合板製、パーチクルボード製のような木質のものである。
【００１４】
図２及び図４に示すように、天板（１）の下面中央には、長手方向に延びる１条の溝（２）が穿設されている。この溝（２）に直交する方向すなわち短手方向の両側には、浅い拡大溝（５）が、溝（２）と同じ長さに亘って形成されている。
【００１５】
拡大溝（５）には、中央の溝（２）の両側において、適宜箇所（図２の例では３箇所）に、おにめナット（６）が対をなして埋め込まれている。
【００１６】
図３に示すように、補強材（３）は、例えば帯状の板金を直角に折り曲げて形成した断面Ｌ字状の２個のアングル材を、背中合わせに当接させ、これをスポット溶接部（７）により互いに一体化させて起立片（４）を形成し、かつ、この起立片（４）の両側方に、平板状に延出するアングル材の部分で基片（８）を形成してなるものである。
【００１７】
起立片（４）の高さ、すなわちアングル材の一方の辺の長さは、前述の天板（１）の溝（２）の深さに対応する寸法としてあり、基片（８）が起立片（４）の片側より延びる長さ、すなわちアングル材の他方の辺の長さは、天板（１）の拡大溝（５）の幅のほぼ半分の長さに対応する長さとしてある、また、基片（８）には、天板（１）の下面に埋め込んだおにめナット（６）に対応する位置に孔（９）が穿設されている。
【００１８】
図４に示すように、上述のような補強材（３）を、その起立片（４）を天板（１）の下面の中央の溝（２）内に挿入し、基片（８）を浅い拡大溝（５）内に収容させた状態で、孔（９）にボルト（１０）を挿入し、これをおねめナット（６）内に螺入して締結する。このようにすれば、天板（１）の中央に穿設した比較的深い溝（２）による天板の短手方向の弱体化は、この溝（２）の両側方で補強材（３）をねじ止めすることにより、完全に補償され、短手方向のたわみ変形が阻止される。
【００１９】
なお、この実施形態では、補強材（３）を、断面Ｌ字状の２個のアングル材を互いに背中合わせに溶接して形成したものとして説明したが、これを、Ｔ形断面の押し出し材とすることもできる。
【００２０】
図５は、本発明の補強構造の第２の実施形態を示す拡大断面図である。この実施形態では、天板（１）の下面に形成する溝（２）及び拡大溝（５）は第１の実施形態と変わりないが、補強材（３）の構成が相違する。すなわち、補強材（３）は、帯状の板金材を中央から折り返して起立片（４）を形成し、その両下端から直角に外方に折り曲げて基片部分（８ａ）を形成した倒立Ｔ字状部材（１１）と、起立片（４）の両側に延出する基片部分（８ａ）の下面を覆う、これとほぼ同長同幅の平板部材（１２）とにより構成されている。この実施形態の場合、倒立Ｔ字状部材（１１）の基片部分（８ａ）と、平板部材（１２）の両側部とを、おにめナット（６）に螺合するボルト（１０）により、天板（１）の下面に共締めすることにより、起立片（４）のスポット溶接は不要となる。
【００２１】
なお、上記の実施形態では、取付をおにめナット（６）とボルト（１０）とによるものとして説明したが、この取付は、おにめナット（６）によらず、普通の木ねじ等により締着するものとしてもよい。また、拡大溝（５）は、必ずしも必要ではなく、これが形成されていなくてもよい。さらに、補強材（３）は、１条のみとして示したが、ワークテーブルの長さ、幅または天板の厚さ等の条件により、複数条とすることもできる。
【００２２】
【発明の効果】
請求項１記載の発明によれば、天板の下面における溝の両側を補強材で連結する形で、補強材を取り付けるので、従来の補強構造で弱体化されていた、天板の長手方向と直交する方向のたわみ等に対する強度を十分に高めることができる。
【００２３】
請求項２記載の発明によれば、安価に入手できるアングル材により、簡単に補強材を形成することができる。
【００２４】
請求項３記載の発明によれば、１枚の板金材を曲げ加工して、一部を溶接するだけで簡単に補強材を形成することができる。
【００２５】
請求項４記載の発明によれば、溶接を不要とし、曲げ加工だけで補強材を形成することができる。
【００２６】
請求項５記載の発明によれば、天板の下面に設けている補強材が、天板から殆どはみ出すことなく取り付けられるため、天板の上面、下面とも、外観上これまでの天板とほぼ同様のものとすることができるとともに、天板の下にワゴンやサイドテーブル等を収容する際にも、補強材が干渉することはない。
【図面の簡単な説明】
【図１】本発明の第１の実施形態を備えるワークテーブルの斜視図である。
【図２】同じく、ワークテーブルの天板のみを裏返して示す斜視図である。
【図３】同じく、補強材の拡大斜視図である。
【図４】同じく、補強材を取り付けた天板の部分拡大縦断側面図である。
【図５】本発明の補強構造の第２の実施形態を備える天板における、図４と同様の部分拡大縦断側面図である。
【図６】従来の天板の補強構造を示す、天板の要部の拡大縦断側面図である。
【符号の説明】
（Ａ）ワークテーブル
（１）天板
（２）溝
（３）補強材
（４）起立片
（５）拡大溝
（６）おにめナット
（７）スポット溶接部
（８）基片
（８ａ）基片部分
（９）孔
（１０）ボルト
（１１）倒立Ｔ字状部材
（１２）平板部材
【図１】
2004222910.tif 000003
【図２】
2004222910.tif 000004
【図３】
2004222910.tif 000005
【図４】
2004222910.tif 000006
【図５】
2004222910.tif 000007
【図６】
2004222910.tif 000008